(57)【特許請求の範囲】
【請求項１】
複数のアイテムにランクを付けてランキングを作成するためのシステム（１１６）であって、
第三者プラットフォーム（１１１）のベンダによって提供される品物またはサービスである前記アイテムを有する少なくとも１つの製品リスト；
前記アイテムのランキングを示す少なくとも１つのリストを表示することが可能なサービスプラットフォーム；
投票リンク（１１０）で実行される特定動作（１１２）に従って投票がその上に投じられる（１０２）ことを可能にするために前記製品リスト上の特定の前記アイテムに割り当てられる前記投票リンク（１１０）を生成するための投票リンク生成モジュール；
前記投票を受け取って集計して前記リスト上の前記アイテムをアップデートする、および／または再配置することを通して前記アイテムのランキング（１０７）を決定するためのランキングエンジン；ならびに
前記システム（１１６）によって実行されるプロセスを管理するためのプロセッサを有する少なくとも１台のサーバ；を備え、
ユーザが前記システム（１１６）の前記サービスプラットフォームを訪問する必要なく第三者プラットフォーム（１１１）上の少なくとも１人のユーザから前記製品リストの前記アイテムに投じられるべき前記投票のための特定動作（１１２）を直ちに対話してかつ受け取る第三者サーバによって管理される前記第三者プラットフォーム（１１１）上に前記投票リンク（１１０）が挿入されてかつ表示されるように構成され、
前記投票が、類似したカテゴリの前記アイテムに投じられる前記投票の数、および、前記システム（１１６）上で実行されるユーザ活動タイプ、前記システム（１１６）上のユーザ活動性のレベルまたはユーザ信憑性を通して得られるユーザポイントに基づいて算出される価値（１０５）が割り当てられ、
前記ユーザ活動タイプには、ユーザのログイン頻度およびユーザがコメントした数が含まれていることを特徴とするシステム。
【請求項２】
前記システム（１１６）に前記第三者プラットフォーム（１１１）で投じられる前記投票を送るように構成される処理モジュールを更に備える請求項１に記載のシステム（１１６）。
【請求項３】
偽ユーザーアカウントおよび／または二重アカウントを阻止するための識別認証モジュールを更に備える請求項１に記載のシステム（１１６）。
【請求項４】
反復投票を防止するための投票認証モジュールを更に備える請求項１に記載のシステム（１１６）。
【請求項５】
前記投票リンク（１１０）が、ボタン、バナーまたはスライダポップアップのうち任意の１つまたは組合せの形であることを特徴とする請求項１に記載のシステム（１１６）。
【請求項６】
前記サービスプラットフォームが、ウェブサイトおよび携帯アプリケーションのうち任意の１つまたは組合せであることを特徴とする請求項１に記載のシステム（１１６）。
【請求項７】
前記第三者プラットフォーム（１１１）が、ウェブサイト、電子メールアプリケーションまたは携帯アプリケーションのうち任意の１つまたは組合せであることを特徴とする請求項１に記載のシステム（１１６）。
【請求項８】
前記投票リンク（１１０）が、前記サービスプラットフォームの識別としてその上にマークを有することを特徴とする請求項１に記載のシステム（１１６）。
【請求項９】
前記投票の前記価値（１０５）を判定するための算出モジュールを更に備える請求項１に記載のシステム（１１６）。
【請求項１０】
前記サービスプラットフォームが、前記アイテムに関連した情報を表示するために各アイテムの所有者に対するプロファイルページを備えることを特徴とする請求項１に記載のシステム（１１６）。
【請求項１１】
前記サービスプラットフォームが、前記プロファイルページの訪問、コメント、投票、調査、スパムおよび不正使用の報告、リンクの共有、アカウントへのログイン、幸運くじおよびコンテストへの参加、イベント登録またはユーザによって参加されるべき活性化の実行のうち任意の１つまたは組合せを含む複数の活動を可能にすることを特徴とする請求項１０に記載のシステム（１１６）。
【請求項１２】
システム（１１６）によって実行されるプロセスを管理するためのプロセッサを有する少なくとも１台のサーバを使用して第三者プラットフォーム（１１１）のベンダによって提供される品物またはサービスであるアイテムにランクを付けてランキングを作成するための方法であって、以下のステップ、すなわち：
第三者サーバによって管理され、前記アイテムが含まれた少なくとも１つの製品リストを有する第三者プラットフォーム（１１１）上に挿入されてかつ表示される投票リンク（１１０）上で特定動作（１１２）を実行することを通して少なくとも１人のユーザによってアイテム（１０１）に割り当てられる投票を投ずるステップ；
前記投票を受け取って集計して、前記アイテムをアップデートする、および／または再配置することを通して前記システム（１１６）のランキングエンジンによって複数のアイテムのランキング（１０７）を示すリストを決定するステップ；ならびに
前記システム（１１６）のサービスプラットフォーム上に分類された前記アイテムを表示するステップ（１０８）を含み；
投票リンク生成モジュールによって生成される前記投票リンク（１１０）が、前記ユーザが前記システム（１１６）の前記サービスプラットフォームを訪問する必要なく前記第三者プラットフォームを閲覧する少なくとも１人のユーザから前記製品リスト上の前記アイテムに投じられるべき前記投票のための前記特定動作（１１２）を直ちに対話してかつ受け取るように構成され、
前記システム（１１６）の算出モジュールによって前記投票に割り当てられる価値（１０５）を判定するステップを更に含み、
前記投票の前記価値（１０５）が、類似したカテゴリの前記アイテムに投じられる前記投票の数、および、前記システム（１１６）上で実行されるユーザ活動タイプ、前記システム（１１６）上のユーザ活動性のレベル、ユーザ信憑性を通して得られるユーザポイントに基づいて決定され、
前記ユーザ活動タイプには、ユーザのログイン頻度およびユーザがコメントした数が含まれていることを特徴とする方法。
【請求項１３】
処理モジュール経由で前記システム（１１６）に前記受け取られた投票を送るステップを更に含む請求項１２に記載の方法。
【請求項１４】
識別認証モジュールによってユーザ確認を要求するステップを更に含む請求項１２に記載の方法。
【請求項１５】
前記投票リンク（１１０）上の前記特定動作（１１２）を実行する際に前記投票を投ずるための前記システム（１１６）上のアカウントにログインする（１１４）かまたはサインアップする（１１５）ことを前記ユーザに要求するステップを更に含む請求項１２に記載の方法。
【請求項１６】
前記投票リンク（１１０）が、前記第三者プラットフォーム（１１１）にコード（１０８）を埋め込むことを通して前記第三者プラットフォーム（１１１）上に表示されることを特徴とする請求項１２に記載の方法。
【請求項１７】
前記投票リンク（１１０）上で実行される前記特定動作（１１２）が、クリックまたはタッピング動作であることを特徴とする請求項１２に記載の方法。
【発明の詳細な説明】
【技術分野】
【０００１】
下記の開示は、投票活動が第三者サーバによって管理される第三者プラットフォーム上で実行されることを可能にする投票システムと一体化されるランキングシステムに関する。
【背景技術】
【０００２】
急速に発展する技術が、主題に対する特定の集団の人気または嗜好を識別して追跡するためのランキングを決定するために使用される種々の投票システムの出現を見ている。いくつかのオンラインランキングプラットフォームが、異なるタイプの組織の特定要求を満たすために設計される調整された投票解と一体化されている。たとえば、ブランドランキングプラットフォームは選択肢またはブランドに関する公衆の効果および偏愛を調べる投票システムを提供する。この種の投票システムはブランドに対する公衆の応答を反映し、およびランキングは業界におけるブランドの人気についての質問に一見した答えを提供する。
【０００３】
大部分の既存のオンラインランキングプラットフォームは、種々のカテゴリのランキングを表示する投票可能なウェブサイトの形でもたらされる。投票モジュールが、ウェブサイトの訪問客がリストから選択肢を選ぶためにウェブサイト上で利用可能である。一旦選択がなされるならば、ランキングは最新の投票結果を提示するためにアップデートされる。この種の投票システムは、従来のオンラインポールシステムのように機能する。ランキングを生成する際に類似した方法を使用する従来技術が、（特許文献１）内に記述される。この特許のシステムは、協力してランクされるべき一組のデジタルコンテンツアイテムを表示するためのユーザインタフェースを有するデジタルコンテンツホスティングウェブサイトである。ユーザインタフェースは、複数のデジタルコンテンツ行を備え、各デジタルコンテンツ行が、行と関連付けられるデジタルコンテンツアイテムの相対的ランキング位置を表示するランキングセルを有する。デジタルコンテンツの投票は、デジタルコンテンツアイテムのランキング位置を上昇させるように適応される第１のボタンをクリックすることを通して実行されることができる。逆に、第２のボタンがデジタルコンテンツのランキング位置を低下させるように適応される。デジタルコンテンツに対するランキング位置の数値的な変化を表示するように適応される要素がある。
【０００４】
登録が大部分のこれらのシステムに義務的でないのに対して、結果のアカウンタビリティを評価するランキングプラットフォームは投票者認証を要求する。いくつかのプラットフォームは、そのプラットフォーム内の投票者の識別または地位に基づいて投票に対する重みを割り当てさえする。オンライン投票を収集するこの種のシステムの一例が、（特許文献２）内に開示される。このシステムは、ネットワークに接続されるサーバ、サーバに接続されるデータベースおよびネットワークに接続される投票者コンピュータを備える。投票者コンピュータは、サーバによって与えられる複数のオプションの間で選択をすることが可能になる前にプロファイルを使用してサーバに登録するように構成される。データベースは、投票者プロファイルと関連付けられる過去の活動に関する情報を格納する。投票者プロファイルに関連づけられる過去の活動が、投票者コンピュータのユーザによって投じられる投票の価値を判定するために使用される。
【０００５】
上記した従来技術の重大な制約は、投票者が彼らの投票を投ずるためにウェブサイトのようなオンラインプラットフォームを訪問することを要求されることである。投票者は、プラットフォームのアドレスを知るかまたはプラットフォームの場所を見つけるために検索エンジン上で検索を遂行することを要求される。その他に、それにトラフィックを向けるためにプラットフォームの存在の認識を作り出すのに多くの努力が必要である。投票システムをこのプラットフォームだけで利用可能にさせることによって、インターネットユーザがそれを不便であると思い、それゆえに投票を投ずるためのプラットフォームを訪問することに興味を持たない可能性が高い。この種の投票およびランキングシステムは、結果が少数の人々の選択を反映するだけであるので特に限定された訪問客を有する殆ど知られてないプラットフォームに対して、ランキング結果の信憑性を疑わしくし、したがって選択肢に対する大きな集団の応答を代表することがあてはまらない。さらに、ブランド所有者のブランドを促進するために彼らのためのブランド中心のウェブサイトとしてもまた機能するこの種のブランドランキングプラットフォームを経たブランド認知の創出は、プラットフォームを訪問するこのような少ないトラフィックによって失敗するだろう。
【先行技術文献】
【特許文献】
【０００６】
【特許文献１】欧州特許第２１２６７２２号明細書
【特許文献２】欧州特許第２１７４２２０号明細書
【発明の概要】
【発明が解決しようとする課題】
【０００７】
本開示は、投票が種々のチャネル経由で遂行されることを可能にすることを通して現在のランキングプラットフォームの欠点に対する１つの解を提供することを目的とする。この種のシステムは、ウェブサイト上にリストされるブランドの世界的なプレゼンスおよび認識の強化に導くそのランキングシステムを通してブランドの人気に関する指標を提供するブランド中心のウェブサイトを目的とする。
【課題を解決するための手段】
【０００８】
本開示の一態様は、フォーラム、ソーシャルネットワークおよびブログを含む電子メールおよびウェブサイトのような第三者プラットフォーム上に埋め込まれる投票リンク経由で投票が遂行されることを可能にするランキングシステムを提供することである。
【０００９】
本開示の別の態様は柔軟な、便利な、正確なおよび不正投票者を阻止する責任を負う投票機構を備えたランキングシステムを提供することである。
【００１０】
本開示のさらに別の態様は、価値投票法を実現する投票機構を備えたランキングシステムを提供することである。
【００１１】
本開示のさらにもう一つの態様は、ブランドのような選択肢の人気に対する信頼性が高い計測であるランキングシステムを提供することである。
【００１２】
さらに、本開示の別の態様は、所有者が彼らのブランドを促進してかつユーザと対話するためのブランド中心のオンラインプラットフォームを備えるランキングシステムを提供することである。
【００１３】
本開示によって、先行する態様の少なくとも１つが、全体的にあるいは部分的に満たされ、本開示の実施態様が複数のアイテムにランクを付けるためのシステム（１１６）であって、アイテムのランキングを示す少なくとも１つのリストを表示することが可能なオンラインプラットフォーム；投票リンク（１１０）で実行される特定動作（１１２）に従って投票がその上に投じられる（１０２）ことを可能にするために特定のアイテムに割り当てられる投票リンク（１１０）を生成するための投票リンク生成モジュール；投票を受け取った際にリスト上のアイテムをアップデートする、および／または再配置することを通してアイテムのランキング（１０７）を決定するためのランキングエンジン；ならびにシステム（１１６）によって実行されるプロセスを管理するための少なくとも１台のプロセッサを有する１台以上のサーバを備え；ユーザがシステム（１１６）のオンラインプラットフォームを訪問する必要なく第三者プラットフォーム（１１１）を閲覧する１人以上のユーザからアイテムに投じられるべき投票のための特定動作（１１２）を直ちに対話してかつ受け取る第三者サーバによって管理される第三者プラットフォーム（１１１）上に投票リンク（１１０）が挿入されて表示されるように構成されるシステムを記述する。
【００１４】
それに加えて、本開示は、さらにシステム（１１６）によって実行されるプロセスを管理するための少なくとも１台のプロセッサを含む１台以上のサーバを有するシステム（１１６）を使用して複数のアイテムにランクを付けるための方法であって、以下のステップ、すなわち第三者サーバによって管理される第三者プラットフォーム（１１１）上に挿入されて表示される投票リンク（１１０）上で特定動作（１１２）を実行することを通してユーザによってアイテム（１０１）に割り当てられる投票を投ずるステップ；投票を受け取る際にリストに載っているアイテムをアップデートする、および／または再配置することを通してシステム（１１６）のランキングエンジンによって複数のアイテムのランキング（１０７）を示すリストを決定するステップ；ならびにシステム（１１６）のオンラインプラットフォーム上にリストを表示する（１０８）ステップを含み；投票リンク生成モジュールによって生成される投票リンク（１１０）が、ユーザがシステム（１１６）のオンラインプラットフォームを訪問する必要なく第三者プラットフォームを閲覧する１人以上のユーザからアイテムに投じられるべき投票のための特定動作（１１２）を直ちに対話して受け取るように構成されることを特徴とする方法を記述する。
【図面の簡単な説明】
【００１５】
【図１】アイテムのランキングプロセスを示す。
【図２】システムにリンクする第三者プラットフォーム上に投票リンクを表示する例示的な一方法を示す。
【図３】第三者プラットフォーム上で実行される投票プロセスを示す。
【図４】システムのオンラインプラットフォーム上で実行される投票プロセスを示す。
【図５】システム上で実行される異なるタイプのユーザ活動を通して得られるユーザポイントの一例を示す。
【図６】システム上で実行される異なるユーザ活動を通して失われるユーザポイントの一例を示す。
【図７】ユーザ信憑性を通して得られるユーザポイントの一例を示す。
【発明を実施するための形態】
【００１６】
本開示は、複数のアイテムにランクを付けるためのシステム（１１６）であって、アイテムのランキングを示す少なくとも１つのリストを表示することが可能なオンラインプラットフォーム；投票リンク（１１０）で実行される特定動作（１１２）に従って投票がその上に投じられる（１０２）ことを可能にするために特定のアイテムに割り当てられる投票リンク（１１０）を生成するための投票リンク生成モジュール；投票を受け取った際にリスト上のアイテムをアップデートする、および／または再配置することを通してアイテムのランキング（１０７）を決定するためのランキングエンジン；ならびにシステム（１１６）によって実行されるプロセスを管理するための少なくとも１台のプロセッサを有する１台以上のサーバを備え；ユーザがシステム（１１６）のオンラインプラットフォームを訪問する必要なく第三者プラットフォーム（１１１）を閲覧する１人以上のユーザからアイテムに投じられるべき投票のための特定動作（１１２）を直ちに対話してかつ受け取る第三者サーバによって管理される第三者プラットフォーム（１１１）上に投票リンク（１１０）が挿入されて表示されるように構成されるシステムを記述する。
【００１７】
アイテムのタイプは、制限されないが、サービスおよび製品のブランド、同じく公人であることが好ましく、それらが製品およびサービスの性質または意図された目的のような特定の判定基準；または公人の場合、公人の分野、地理的局所性または年齢の範囲に従ってカテゴリ化される。リスト（以下に『ランキングリスト』と称する）に載っているアイテムの位置づけが、ユーザによって投じられる投票に基づく。本願明細書において用いられる用語『ユーザ』は、ランキング結果の決定の参加者および／またはシステム（１１６）のオンラインプラットフォーム上に提供されるユーザ活動の参加者である個人を示す。したがって、彼のプラットフォーム（１１１）上に投票リンク（１１０）を有する『第三者』もまたシステム（１１６）のユーザである。オンラインプラットフォームは、ユーザ活動が実施されることを可能にするウェブサイトまたは携帯アプリケーションであることができる。用語『ウェブサイト』が、任意の形式のウェブベースの言語を使用してかつグラフィクス、マルチメディアおよびテキストを受信して表示するように構成されるブラウザアプリケーションを通してアクセス可能である、フォーラム、ソーシャルネットワークサイト、ブログなどを含む点に留意する必要がある。少なくとも１台のプロセッサを有するコンピュータであるサーバが、システム（１１６）のプロセスを実行するためにエンジン、モジュールおよびオンラインプラットフォームの機能を管理して実行するために使用される。サーバは、さらにデータ記憶のためのメモリおよびコンピュータがネットワークに接続することを可能にするためのネットワークインタフェースユニットを含む。インタフェース生成モジュールが、オンラインプラットフォームのインタフェース上に表示されるべきデータを生成するためのシステム（１１６）内にさらに含まれることができる。
【００１８】
好ましい実施態様において、システム（１１６）は種々のカテゴリ化されたアイテムに対する複数ランキングリストを表示する（１０８）インタフェースを有するオンラインプラットフォームを提供する。ランキングリストは、各アイテムに対して受け取られる投票の総計に従って所定の時間内に絶えずアップデートされる。リアルタイムアップデートは、ランキングが向かう傾向があるアイテムをユーザが把握するために好まれる。この種の特徴は、アイテムの位置づけをユーザの間のそれらの人気に基づいてユーザが識別することを可能にする。各カテゴリの一貫したリーダは、ブランドおよび公人のようなアイテムに対する順位表として働くランキングリストを通して決定されることができる。システム（１１６）の登録されたアイテムとしてランキングリスト上にリストされるべきアイテムに対して、アイテム所有者はシステム（１１６）のサービスを購読することができるかまたはランキングに参加するためにシステム（１１６）によって招かれることができる。
【００１９】
図１は、本開示の好ましい実施態様の全体的なランキングプロセスを例示し、それによってランキング結果がユーザによって投じられる投票に依存する。好ましくは、投票はユーザの活動および信憑性を通して得られるかまたは失われるユーザポイントに従う価値を各々割り当てられる。オンラインプラットフォームそれ自体上だけでなく、さらに第三者サーバによって管理される第三者プラットフォーム（１１１）上でも投票（１０１）が実行されることを可能にする投票システム（１１６）に、本開示の主要な特徴がある。本願明細書に参照される第三者プラットフォーム（１１１）は、ウェブサイト、電子メールアプリケーションまたは携帯アプリケーションのうち任意の１つまたは組合せを含む。これらの第三者プラットフォーム（１１１）は、システム（１１６）に属さず、公人自身またはブランドの所有者のような、アイテムの所有者によって管理されるかまたは所有される。所有者は、システム（１１６）内にアカウント（１０６）を登録する際に彼らのアイテムに割り当てられる投票リンク（１１０）を備えている。投票リンク（１１０）を第三者プラットフォーム（１１１）のインタフェース上に埋め込まれるようにさせることによって、ユーザは投票リンク（１１０）を通して彼らの投票（１０１）を都合よく投ずることができる。この種の特徴は、さらにユーザがランキング結果を観察してかつオンラインプラットフォーム上で提供される他の活動に参加するように第三者プラットフォーム（１１１）からシステム（１１６）のオンラインプラットフォームに彼らを向けるのを助ける。
【００２０】
図２にて図示するように、投票リンク（１１０）を第三者プラットフォーム（１１１）上に表示させる好ましい方法は、第三者プラットフォーム（１１１）にスクリプトコード（１１９）を埋め込むことを通してである。コードは、ＪａｖａＳｃｒｉｐｔの形であってかつ第三者プラットフォーム（１１１）のＨＴＭＬファイル内に埋め込まれる。システム（１１６）のサーバからロードされるスクリプトは、アイテム識別の情報を含有する。オンラインプラットフォームに関連したクラスを備えたＨＴＭＬタグが、投票リンク（１１０）を表示するために検索される。スクリプトが、第三者プラットフォーム（１１１）上に投票リンク（１１０）を表示する（１０９）ために要求される全てのアプリケーションプログラミングインタフェース（ＡＰＩ）をロードし、かつシステム（１１６）のサーバに投票リンク（１１０）上で実行される動作を通して投じられる（１０１）投票を提出することを通して投票プロセスを処理する。リンクが第三者プラットフォーム（１１１）に埋め込まれることを可能にする公知技術の任意の方法が適用可能な点に留意する必要がある。スクリプトコードおよびＡＰＩは、第三者プラットフォーム（１１１）からシステム（１１６）まで投票を送るための処理モジュールの例である。投票リンク（１１０）の外観およびロード技法は、カスタム化目的のために修正されることができる。投票リンク（１１０）がボタンの形であることが好まれるが、それがまたバナーまたはスライダポップアップの形であることもできる。オンラインプラットフォームまたはシステム（１１６）を識別する名前またはロゴの形のマークが、投票リンク（１１０）上に表示されるのが好まれる。
【００２１】
図３を参照して、投票プロセスはユーザによって投票リンク（１１０）上で実行される特定動作（１１２）を通して開始される。動作（１１２）は、第三者プラットフォーム（１１１）を閲覧するためにユーザによって使用される装置のタイプに従う投票リンク（１１０）上のクリックまたはタップであることができる。識別認証のためのリクエストは、一旦動作が実行されると、ユーザがシステム（１１６）内に構成される自身のアカウントにサインインする（１１４）ように要求されるように、任意選択で設定されることができる。ユーザがシステム（１１６）の成員でない場合、ユーザはアカウントをサインアップする（１１５）ように要求される。ユーザが以前にアイテムに投票していた状況では、投票認証モジュールは、ユーザに、ユーザーが以前このアイテムに投票したことを知らせるメッセージ（１１７）を提示することによって、処理モジュールによって受け取られる反復投票が、投票の価値（１０５）を判定する役割を果たす算出モジュールに提出されるのを阻止するように構成されることができる。ユーザは、投票の提出の成功の際にアイテムの投票者（１１８）として記録される。スクリプトは次いで、ユーザの投票情報によってアップデートされる。処理モジュールは、アイテムにランクを付けるために投票の価値を算出するためのシステム（１１６）に第三者プラットフォーム（１１１）に投じられる投票を送るように構成される。
【００２２】
投票プロセスを実施する別な方法は、システム（１１６）のオンラインプラットフォーム上で直接投票する（１０１）ことを通してである。図４で示すこの方法は、ユーザがオンラインプラットフォームを閲覧している間、オンラインプラットフォームから直接投票する（１０１）ためにユーザがオンラインプラットフォームに向けられるよう要求する。ユーザは、アイテムを選ぶことができてかつボタン、バナーまたはスライダポップアップの形であることができる投票リンク（１１０）上で動作（１１２）を実行することができる。ユーザがオンラインプラットフォームのコンテンツにアクセスする前に自らのアカウントにサインインする（１１４）かまたはアカウントを登録する（１１５）ことを要求される場合、オンラインプラットフォームから投票する時、ユーザは自らのアカウントにログインする（１１４）かまたはアカウントをサインアップする（１１５）ことをもう一度要求されない。投票は、第三者プラットフォーム（１１１）から投じられるものと同様に処理される。ユーザが以前にブランドに投票していた場合、投票者の投票は投票認証モジュールによって識別される際に処理されない。さもなければ、投票者はアイテムの投票者（１１８）として記録され、同投票者の投票はその投票の価値（１０５）を判定するために算出モジュールに送られる。投票者が投票したアイテムを含むカテゴリのランキングリストは、彼の投票を考慮に入れることによってアップデートされる。
【００２３】
オンラインプラットフォームは、単にランキングを表示する（１０８）ためのサイトだけでなく、さらに広告目的のために所有者のプロファイルを構築し、かつ彼らとユーザとの間の対話を促進する活動を遂行するアイテムの所有者のための場所でもある。プロファイルページのカスタム化が、許容可能である。各アイテムの所有者に対するプロファイルページが、アイテムに関連した情報を表示するために確立されることができる。情報のコンテンツは限定されないが、画像、ビデオ、コンテスト、幸運くじ、調査およびプログラム登録を含む。上記したように、投票はユーザの活動および信憑性を通して得られる（１０２、１０３）かまたは失われる（１０４）ユーザポイントに従って各々価値が割り当てられる。システム（１１６）上で実行されるユーザ活動のタイプおよびシステム（１１６）上のユーザ活動性のレベルが、投票の価値（１０５）を決定する際に不可欠な役割を果たす。オンラインプラットフォームは、コメント、投票、ポーリング、調査、スパムおよび不正使用の報告、リンクの共有、アカウントへのログイン、幸運くじおよびコンテストへの参加、イベント登録または活性化の実行のような活動にユーザが参加することを可能にする。これらの活動は、彼らの投票に価値を追加するためにユーザポイントが得られることを可能にする。図５は、特定の活動に参加することを経て得られる（１０２）ことができる活動ユーザポイントの一例を例示する。
【００２４】
投票に価値を追加する他に、投票の価値の下落が生じることもまた起こりうる。ある期間の間アカウントにログインしないことのようなユーザ活動性のレベルが低下した場合、これが起こる可能性がある。ユーザサインアップ（１１５）、ログイン（１１４）および活動性のレベルが、不正投票を防止するために偽アカウントおよび／または二重アカウントを阻止するための識別認証モジュールによって管理される。これらのユーザ活動は、ユーザポイントに基づいてユーザの投票価値（１０５）を判定するために算出モジュールに報告される。また、アイテムプロファイルページにスパムするかまたはランキングシステム（１１６）によって提供されるサービスを悪用することのようなユーザの不当なまたは不適当な活動は、彼らのポイントが差し引かれる（１０４）ことを引き起こす可能性があり、それゆえに彼らの投票の価値に影響を及ぼす。投票価値の下落が起こることを引き起こす活動の例が、図６内に記載される。システム（１１６）の管理は、ユーザの活動を監視して算出モジュール経由でユーザポイントを調節することができる。
【００２５】
ユーザの信憑性もまた、投票の価値を決定する際の一要因である。ランキング結果のアカウンタビリティを確実にするためにユーザの偽アカウントおよび／または二重アカウントを防止するためのユーザの正当性を証明する際にユーザ認証が重要である。ユーザは、彼らの電子メールアドレス、携帯番号、識別もしくはパスポート番号、彼らが関係する自身のソーシャルネットワークアカウントへのリンクまたは著名な団体へのリンクを提供するような種々のチャネルまたは方法を通して彼らの正当性を確認することを可能にされる。信憑性ユーザポイントが、彼ら自身を確認するためにより本格的な証拠を提供することができるユーザ（１０３）に授与される。図７は、種々の確認方法を通してユーザ（１０３）によって得られることができる信憑性ユーザポイントの一例を示す。それに加えて、信憑性ユーザポイントが団体内の彼らの立派さおよび地位に従いユーザに与えられることができる。
【００２６】
ユーザポイントを決定するためにユーザのログイン活動の信憑性および活動性のレベルを算出モジュールに報告する役割を識別認証モジュールが果たす。また、算出モジュールは、類似したカテゴリのアイテムに投じられる投票の数、および／またはシステム（１１６）上で実行されるユーザ活動タイプ、システム（１１６）上のユーザ活動性のレベルまたはユーザ信憑性を通して得られるユーザポイントのような特定の判定基準に基づいてユーザポイントを追加する（１０２）かまたは差し引く（１０４）ように構成される。投票の価値（１０５）を決定する方法は、算出モジュールによって採用される計算方法論に従い変更されることができる。
【００２７】
算出モジュールは、所定の時間で絶えずその算出プロセスを実行する。投票の価値を算出する際に、投票価値の情報が、ランキングリスト（１０７）上のアイテムをアップデートする、および／または再配置するためにサーバによってランキングエンジンに送られる。ランキングリストに反映されるランキングの結果は、システム（１１６）のオンラインプラットフォーム上に表示され（１０８）、かつ好ましくはリアルタイムでアップデートされる。
【００２８】
本開示内に記述される本発明によって第三者プラットフォーム（１１１）からの投票（１０１）が、可能にされる。ランキングシステム（１１６）は、システム（１１６）それ自体のオンラインプラットフォームから投票する（１０１）必要性なしでランキングリストからアイテムに対してユーザが彼らの投票（１０１）を投じるための追加的なチャネルを提供する。特定のアイテムの人気および世界的なプレゼンスの評価が、ランキング結果に基づいて実施されることができる。ランキングシステム（１１６）は、信頼性に焦点を当て、かつそれゆえに価値および品質投票を促進する。さらに、オンラインプラットフォームは、アイテム所有者が彼らのプロファイルを構築してかつ彼らのアイテムを促進する活動を起こすこと、同じくアイテムに関するフィードバックを受け取るために、ユーザと対話することを可能にする。アイテムの所有者は、また、オンラインプラットフォームを通して所有者のビジネスを害するかもしれない違反活動のレポートを受け取ることができる。
【００２９】
上記の記述が多くの仕様を含有するとはいえ、好ましい形態の実施態様が本発明からの逸脱とみなされるべきでなく、およびそれが添付の請求項の範囲内で修正されることができることが理解される。
【符号の説明】
【００３０】
１０１  投票  アイテム
１０３  ユーザ
１０５  投票価値
１０６  アカウント
１０７  ランキング
１０８  コード
１１０  投票リンク
１１１  第三者プラットフォーム
１１２  特定動作
１１４  サインイン  ログイン
１１５  登録  サインアップ
１１６  システム
１１７  メッセージ
１１８  投票者
１１９  スクリプトコード
【図１】
0006592666.tif 000002
【図２】
0006592666.tif 000003
【図３】
0006592666.tif 000004
【図４】
0006592666.tif 000005
【図５】
0006592666.tif 000006
【図６】
0006592666.tif 000007
【図７】
0006592666.tif 000008